(57)【要約】【課題】  タオル形状の垢すりでありながら、泡立ち、泡切れがよく衛生的であると共に、シンプルな形状、網糸の組織構成でありながら、凹凸起伏が多く、摺擦抵抗が高いために、垢すり効果が極めて高い垢すりを提供する。【解決手段】  目の粗い網から構成される垢すり。漁網から成る垢すり。網は、網糸３同士を互いの交差部に結び目を形成することにより形成した交差玉部５を備えると共に、隣接する交差玉部間に位置する網糸の中間部分に１、又は２以上の結び目を形成することにより形成した中間玉部６を備えている。【選択図】      図１
2006239097.tif 000002
【特許請求の範囲】
【請求項１】
目の粗い網から構成されることを特徴とする垢すり。
【請求項２】
前記網は漁網であることを特徴とする請求項１に記載の垢すり。
【請求項３】
前記網は、網糸同士を互いの交差部に結び目を形成することにより形成した交差玉部を備えると共に、隣接する交差玉部間に位置する網糸の中間部分に１、又は２以上の結び目を形成することにより形成した中間玉部を備えていることを特徴とする請求項１又は２に記載の垢すり。
【請求項４】
所要面積の前記網を２つ折り以上に重ねて袋状に構成したことを特徴とする請求項１、２、又は３に記載の垢すり。
【請求項５】
前記網の対向し合う２つの端縁に沿って把持用の紐を取り付けたことを特徴とする請求項１、２、３、又は４に記載の垢すり。
【発明の詳細な説明】
【技術分野】
【０００１】
本発明は入浴時などに身体を摺擦して垢を効率的に除去することができる垢すりの改良に関するものである。
【背景技術】
【０００２】
従来から垢すりとしては、スポンジ、海綿等の多孔質の素材を片手で把持できるようにブロック状に構成したものが用いられているが（特開平７−１１１９５６号公報、特開２００１−１３７１４８公報）、手で把持した垢すりにて背中の垢を除去する場合には届かない箇所が生じるため不便であった。このようなところから、目の細かいメッシュ材料をタオル状の長尺形状に成形した垢すりが開発され利用されている（特開平１１−５６６６９号公報、特開２００４−４９８６２公報）。メッシュ材料から成るタオル状の垢すりによれば、垢すりの両端を両手で把持して背中を摺擦することにより、より容易に背中の隅々の垢を除去することができる。
しかし、従来のメッシュ状の垢すりは網目が細か過ぎて、泡立ちが不十分であり、また垢すりを終わった後に吸収された洗剤や垢を水により洗浄する際に洗浄しきれないことがあり、衛生面で問題があった。また、従来のメッシュ状の垢すりは、肌へのダメージ発生を配慮しすぎる余り、垢すり表面の凹凸が少なく、摺擦抵抗が低いため、垢を除去する能力が低かった。
【特許文献１】特開平７−１１１９５６号公報
【特許文献２】特開２００１−１３７１４８公報
【特許文献３】特開平１１−５６６６９号公報
【特許文献４】特開２００４−４９８６２公報
【発明の開示】
【発明が解決しようとする課題】
【０００３】
本発明は上記に鑑みてなされたものであり、タオル形状の垢すりでありながら、泡立ち、泡切れがよく衛生的であると共に、シンプルな形状、網糸の組織構成でありながら、凹凸起伏が多く、摺擦抵抗が高いために、垢すり効果が極めて高い垢すりを提供することを目的としている。
【課題を解決するための手段】
【０００４】
上記目的を達成するため、請求項１の発明は、目の粗い網から構成されることを特徴とする。
請求項２の発明は、請求項１において、前記網は漁網であることを特徴とする。
請求項３の発明は、請求項１、又は２において、前記網は、網糸同士を互いの交差部に結び目を形成することにより形成した交差玉部を備えると共に、隣接する交差玉部間に位置する網糸の中間部分に１、又は２以上の結び目を形成することにより形成した中間玉部を備えていることを特徴とする。
請求項４の発明は、請求項１、２、又は３において、所要面積の前記網を２つ折り以上に重ねて袋状に構成したことを特徴とする。
請求項５の発明は、請求項１、２、３、又は４において、前記網の対向し合う２つの端縁に沿って把持用の紐を取り付けたことを特徴とする。
【発明の効果】
【０００５】
請求項１の発明に係る垢すりは、目の粗い網から構成されているため、これを垢すりに適した形状、寸法に成形して使用することにより、水を含ませて石鹸等により泡立てた場合の泡立ちが良くなる一方、泡を長時間保持し続ける効果、身体を摺擦した場合の垢取り効果、肌に対するマッサージ効果による心地よさ、かゆみ除去に優れる一方、網目が粗いために洗浄、乾燥が極めて容易で衛生的である。
請求項２の発明は、網として漁網を用いているため、丈夫でありながら、肌を傷つけない柔軟性を併有しており、しかも網糸の吸水性が乏しく、乾燥し易く衛生的である。
請求項３の発明では、網は、交差玉部と、１、又は２以上の中間玉部を備えているので、肌を摺擦した際に玉部が垢取り効果を高め、肌に心地よい刺激を与えるマッサージ効果を発揮する。
請求項４の発明では、所要面積の網を２つ折り以上に重ねて袋状に構成したので、石鹸を泡立てたときにおける泡保持能力が高まり、石鹸を節約しつつ、長い時間に亘って身体を洗浄する効果、垢取り効果を維持することができる。
請求項５の発明では、網の対向し合う２つの端縁に沿って把持用の紐を取り付けたので、この紐を両手で把持して背中を隅々まで摺擦して垢を取ることができる。
【発明を実施するための最良の形態】
【０００６】
以下、本発明の垢すりを図面に示した実施の形態により詳細に説明する。
図１は本発明の垢すりの一例の全体図である。
この垢すり１は、垢すり本体２と、垢すり本体２の長手方向両端部に取り付けられた把持用の紐１０とを備えている。
垢すり本体２は、目の粗い網材料から構成されている。この網材料としては、例えば漁網が好適である。漁網としては、図２の拡大図に示すように所要径を有し、且つ所定の硬度と柔軟性を有した合成繊維から成る網糸３を交差させて矩形の網目４を形成すると共に、網糸３同士の各交差部には交差玉部５を形成する。
網目４は矩形でも三角形でも、その他の多角形であってもよいが、隣接する交差玉部５間に位置する網糸の長さＬが５ｍｍ以上、好ましくは１０ｍｍ以内であることが望ましい。
このように構成することにより、石鹸等の洗剤と湯を用いて泡立てた際における泡立ちが良好となる。また、垢すりを実際に用いて身体を擦る際に、所定以上の硬度を有した網糸３同士が複雑に絡み合って複雑な凹凸形状を構築するばかりか、交差玉部５が摺擦性を更に高めるため、垢を効率的に除去することが可能となる。
本発明の垢すり本体２は、目の粗い網から構成されているため、水を含ませて石鹸等により泡立てた場合の泡立ちが良くなる一方、泡を長時間保持し続ける効果、身体を摺擦した場合の垢取り効果、肌に対するマッサージ効果による心地よさ、かゆみ除去に優れる一方、網目が粗いために洗浄、乾燥が極めて容易で衛生的である。
また、網として漁網を用いることにより、丈夫でありながら、肌を傷つけない柔軟性を併有しており、しかも網糸の吸水性が乏しく、乾燥し易く衛生的である。漁網を構成する網糸は、捕獲した魚類を傷つけないような柔軟性を有している一方、獲物の重量によって破損しない程度の強度を有しているため、これを垢すりに適用することによって上記の効果を得ることができる。
更に、図３の実施形態に示すように、交差玉部５に加えて、隣接する交差玉部５間に位置する網糸３の中間部分に１、又は２以上の結び目を形成することにより中間玉部６を形成してもよい。
このように結び目からなる玉部５、６を増やすことによって、垢すり効果が増進することは明かである。
この発明では、網は、交差玉部と、中間玉部を備えているので、肌を摺擦した際に玉部が垢取り効果を高め、肌に心地よい刺激を与えるマッサージ効果を発揮する。
【０００７】
次に、図４は垢すり本体２の構成を示すＡ−Ａ断面図であり、この例では矩形シート状の漁網から成る網材７を２つ折りに重ねて端縁７ａ同士を糸にて縫うことによって袋状に構成している。このように網材７を重ねた構成とすることにより、石鹸等をつけて泡立たせる際に複雑な多孔質構造体が構築され、泡立ち、泡保持性が向上する。また、網糸や玉部が複雑に入り組んだ凹凸形状を出現させるので、身体を摺擦した際の抵抗が高まり、垢を効率的に除去できる。しかも、適度な柔軟性と硬度を有した網糸をもちいているため、肌を傷めることはなく、心地よい刺激を与えることができる。
このように、所要面積の網を２つ折り以上に重ねて袋状に構成したので、石鹸を泡立てたときにおける泡保持能力が高まり、石鹸を節約しつつ、長い時間に亘って身体を洗浄する効果、垢取り効果を維持することができる。
さらに、網目のサイズが上記のように大きいため、泡切れがよく、垢すり１内に吸収された泡や汚れが容易に除去される。特に網糸自体は、洗剤、水分、垢を吸収、保持する機能を有していないため、洗浄によって洗剤等は確実に除去され衛生的であり、次に利用する人にとって安心である。乾燥も早く完了する。
また、網の対向し合う２つの端縁に沿って把持用の紐１０を取り付けたので、背中等を擦ったり、乾燥のために干す際にこの紐１０を利用することができ便利である。
【図面の簡単な説明】
【０００８】
【図１】本発明の垢すりの一例の全体図。
【図２】網目の拡大図。
【図３】網目の他の例の拡大図。
【図４】図１におけるＡ−Ａ断面図。
【符号の説明】
【０００９】
１  垢すり、２  垢すり本体、  ３  網糸、４  網目、５  交差玉部、６  中間玉部、
１０  把持用の紐。
【図１】
2006239097.tif 000003
【図２】
2006239097.tif 000004
【図３】
2006239097.tif 000005
【図４】
2006239097.tif 000006